(57)【要約】【課題】ノズルの容易な洗浄を可能としつつ、部品点数及び組み付け工数を低減できる２連式エアゾール容器を提供する。【解決手段】カバー部材50には、上部、前部及び後部に開口を有すると共にノズル部材40のノズル基体43を上下動可能に収容する収容凹部Rの周面を形成する内周壁51と、内周壁51の下端縁に連なり収容凹部Rの底面を形成する底壁52と、内周壁51の上端縁に外向きフランジ状壁53を介して連結し、一対のエアゾール缶20の肩部22に当接するように垂設された外周壁54とを設け、レバー部材60には、操作レバー61と、操作レバー61の前端にヒンジ62を介して連結され、カバー部材50に回動可能に取り付けられるレバー支持体63と、を設け、底壁52には、一対のエアゾール缶20のマウンティングカップ23に係止する一対の係止爪52aを垂設し、外周壁54には、一対のエアゾール缶20のマウンティングカップ23に係止する一対の係止孔54aを形成する。【選択図】図２
2015145259.tif 000002
【特許請求の範囲】
【請求項１】
左右に並列配置された一対のエアゾール缶と、該一対のエアゾール缶に装着されると共に、操作レバーの後部の押し下げにて、前記一対のエアゾール缶の内容物をノズルの前端から吐出させる吐出具と、を備える２連式エアゾール容器において、
前記一対のエアゾール缶は、それぞれ、該エアゾール缶の胴部の上方に連なり該胴部より縮径された肩部と、該肩部の上方に連なるマウンティングカップと、該マウンティングカップから立ち上がるステムとを有し、
前記吐出具は、ノズル部材と、カバー部材と、レバー部材と、を備え、
前記ノズル部材は、前記ノズルと、前記一対のエアゾール缶のステムにそれぞれ嵌合する一対の嵌合筒と、前記ノズルの後端及び前記一対の嵌合筒の上端に連結するノズル基体と、を有し、
前記カバー部材は、上部、前部及び後部に開口を有すると共に前記ノズル部材のノズル基体を上下動可能に収容する収容凹部の周面を形成する内周壁と、該内周壁の下端縁に連なり前記収容凹部の底面を形成する底壁と、前記内周壁の上端縁に外向きフランジ状壁を介して連結し、前記一対のエアゾール缶の肩部に当接するように垂設された外周壁とを有し、前記収容凹部の前部の開口は、前記ノズルの前後方向中間部を上下動可能に収容し、前記収容凹部の後部の開口は、前記操作レバーの後部を上下動可能に収容し、
前記レバー部材は、前記操作レバーと、前記操作レバーの前端にヒンジを介して連結され、前記カバー部材に回動可能に取り付けられるレバー支持体と、を有すると共に、前記レバー支持体の回動に伴って前記収容凹部の上部の開口を開閉可能であり、
前記カバー部材の底壁には、前記一対のエアゾール缶のマウンティングカップに上方から乗越え係止する一対の係止爪が垂設されており、
前記カバー部材の外周壁には、前記一対のエアゾール缶のマウンティングカップに上方から乗越え係止する一対の係止孔が形成されている、２連式エアゾール容器。
【請求項２】
前記一対の係止孔は、前記カバー部材の外周壁の左右両側面に形成されている、請求項１に記載の２連式エアゾール容器。
【請求項３】
前記カバー部材は、前記底壁、内周壁、外向きフランジ状壁及び外周壁に連結すると共に前記一対のエアゾール缶の前側部分に当接する一対の前側位置決めリブと、前記底壁、内周壁、外向きフランジ状壁及び外周壁に連結すると共に前記一対のエアゾール缶の後側部分に当接する一対の後側位置決めリブと、を更に有し、
前記一対の前側位置決めリブ及び前記一対の後側位置決めリブの各リブは、前記マウンティングカップの上面に当接する第１当接縁部と、前記マウンティングカップの外周面に当接する第２当接縁部とを有する、請求項１又は２に記載の２連式エアゾール容器。
【請求項４】
前記レバー部材には、前記操作レバーの後部と前記レバー支持体とを連結して前記操作レバーの誤操作を防止する誤操作防止用連結部が設けられており、該誤操作防止用連結部は、前記操作レバーの後部を所定の力で押し下げ方向に押すことで破断し、該破断後は、前記操作レバーの押し下げ操作を可能にするように形成されている、請求項１〜３のいずれか一項に記載の２連式エアゾール容器。
【請求項５】
前記カバー部材には、前記外周壁に破断予定部を介して連結され、前記収容凹部の後部の開口を覆うことで、前記操作レバーの誤操作を防止する誤操作防止用邪魔板が設けられており、前記破断予定部は、該破断予定部を破断させて前記誤操作防止用邪魔板を取り除いた後は、前記操作レバーの押し下げ操作を可能にするように形成されている、請求項１〜３のいずれか一項に記載の２連式エアゾール容器。
【発明の詳細な説明】
【技術分野】
【０００１】
本発明は、左右に並列配置された一対のエアゾール缶と、該一対のエアゾール缶に装着されると共に、操作レバーの後部の押し下げにて、前記一対のエアゾール缶の内容物をノズルの前端から吐出させる吐出具と、を備える２連式エアゾール容器に関し、特に、ノズルの容易な洗浄を可能としつつ、部品点数及び組み付け工数を低減しようとするものである。
【背景技術】
【０００２】
従来、この種の２連式エアゾール容器として、例えば特許文献１に記載されるようなものが知られている。特許文献１では、吐出具を、ノズルを有するノズルヘッド部材と、該ノズルヘッド部材とエアゾール缶のステムとを繋ぐジョイント部材と、操作レバーを有する装着部材とで構成し、当該吐出具をエアゾール缶に装着するために、一対のエアゾール缶を並列配置させた状態で固定する固定盤を設けている。そして、ノズルの洗浄時には、ノズルヘッド部材及びジョイント部材が取り付けられた装着部材を固定盤から取り外し、ノズルヘッド部材からジョイント部材を取り外すことで、ノズル及びジョイント部材を洗浄できるようにしている。
【０００３】
また、特許文献１では、組み付け時には、並列配置させた一対のエアゾール缶に固定盤を取り付けておき、次に、ノズルヘッド部材を装着部材に取り付け、ジョイント部材をノズルヘッド部材に取り付け、装着部材を固定盤に取り付けると同時にジョイント部材をエアゾール缶のステムに取り付けるようになっている。
【先行技術文献】
【特許文献】
【０００４】
【特許文献１】特開２０１０−５２８１２号公報
【発明の概要】
【発明が解決しようとする課題】
【０００５】
しかしながら、前述した特許文献１に記載されるような従来の２連式エアゾール容器では、エアゾール缶の他に、ノズルヘッド部材、ジョイント部材、装着部材及び固定盤の４パーツを必要とし、部品点数が多いという問題があった。また、その組み付け工数についても、固定盤の取り付け、ノズルヘッド部材の取り付け、ジョイント部材の取り付け、及び装着部材／ジョイント部材の取り付けという４工程を必要とし、組み付け工数が多いという問題もあった。さらに、ノズルの洗浄時には、ノズルヘッド部材及びジョイント部材が取り付けられた装着部材を取り外し、ノズルヘッド部材からジョイント部材を取り外すため、ジョイント部材を紛失してしまうおそれもあった。
【０００６】
本発明は、前記のような問題を解決するために開発されたもので、ノズルの容易な洗浄を可能としつつ、部品点数及び組み付け工数を低減できる２連式エアゾール容器を提供することを目的とする。
【課題を解決するための手段】
【０００７】
すなわち、本発明の要旨構成は以下のとおりである。
１．左右に並列配置された一対のエアゾール缶と、該一対のエアゾール缶に装着されると共に、操作レバーの後部の押し下げにて、前記一対のエアゾール缶の内容物をノズルの前端から吐出させる吐出具と、を備える２連式エアゾール容器において、
前記一対のエアゾール缶は、それぞれ、該エアゾール缶の胴部の上方に連なり該胴部より縮径された肩部と、該肩部の上方に連なるマウンティングカップと、該マウンティングカップから立ち上がるステムとを有し、
前記吐出具は、ノズル部材と、カバー部材と、レバー部材と、を備え、
前記ノズル部材は、前記ノズルと、前記一対のエアゾール缶のステムにそれぞれ嵌合する一対の嵌合筒と、前記ノズルの後端及び前記一対の嵌合筒の上端に連結するノズル基体と、を有し、
前記カバー部材は、上部、前部及び後部に開口を有すると共に前記ノズル部材のノズル基体を上下動可能に収容する収容凹部の周面を形成する内周壁と、該内周壁の下端縁に連なり前記収容凹部の底面を形成する底壁と、前記内周壁の上端縁に外向きフランジ状壁を介して連結し、前記一対のエアゾール缶の肩部に当接するように垂設された外周壁とを有し、前記収容凹部の前部の開口は、前記ノズルの前後方向中間部を上下動可能に収容し、前記収容凹部の後部の開口は、前記操作レバーの後部を上下動可能に収容し、
前記レバー部材は、前記操作レバーと、前記操作レバーの前端にヒンジを介して連結され、前記カバー部材に回動可能に取り付けられるレバー支持体と、を有すると共に、前記レバー支持体の回動に伴って前記収容凹部の上部の開口を開閉可能であり、
前記カバー部材の底壁には、前記一対のエアゾール缶のマウンティングカップに上方から乗越え係止する一対の係止爪が垂設されており、
前記カバー部材の外周壁には、前記一対のエアゾール缶のマウンティングカップに上方から乗越え係止する一対の係止孔が形成されている、２連式エアゾール容器。
【０００８】
２．前記一対の係止孔は、前記カバー部材の外周壁の左右両側面に形成されている、前記１の２連式エアゾール容器。
【０００９】
３．前記カバー部材は、前記底壁、内周壁、外向きフランジ状壁及び外周壁に連結すると共に前記一対のエアゾール缶の前側部分に当接する一対の前側位置決めリブと、前記底壁、内周壁、外向きフランジ状壁及び外周壁に連結すると共に前記一対のエアゾール缶の後側部分に当接する一対の後側位置決めリブと、を更に有し、
前記一対の前側位置決めリブ及び前記一対の後側位置決めリブの各リブは、前記マウンティングカップの上面に当接する第１当接縁部と、前記マウンティングカップの外周面に当接する第２当接縁部とを有する、前記１又は２の２連式エアゾール容器。
【００１０】
４．前記レバー部材には、前記操作レバーの後部と前記レバー支持体とを連結して前記操作レバーの誤操作を防止する誤操作防止用連結部が設けられており、該誤操作防止用連結部は、前記操作レバーの後部を所定の力で押し下げ方向に押すことで破断し、該破断後は、前記操作レバーの押し下げ操作を可能にするように形成されている、前記１〜３のいずれかの２連式エアゾール容器。
【００１１】
５．前記カバー部材には、前記外周壁に破断予定部を介して連結され、前記収容凹部の後部の開口を覆うことで、前記操作レバーの誤操作を防止する誤操作防止用邪魔板が設けられており、前記破断予定部は、該破断予定部を破断させて前記誤操作防止用邪魔板を取り除いた後は、前記操作レバーの押し下げ操作を可能にするように形成されている、前記１〜３のいずれかの２連式エアゾール容器。
【発明の効果】
【００１２】
本発明によれば、カバー部材の外周壁を一対のエアゾール缶の肩部に当接させると共に、カバー部材の底壁に設けた一対の係止爪と、カバー部材の外周壁に設けた一対の係止孔とを、一対のエアゾール缶のマウンティングカップに係止させることで、カバー部材を直接、一対のエアゾール缶に装着させることができ、従来必要とされた固定盤を削減することができるため、部品点数を低減することができる。
【００１３】
また、組み付け時には、ノズル部材をカバー部材の収容凹部に配置し、レバー部材をノズル部材の上方からカバー部材に取り付け、カバー部材を並列配置された一対のエアゾール缶に取り付けるという３工程での組み付けが可能となり、従来必要とされた固定盤の取り付け工程を削減することができるため、組み付け工数を低減させることもできる。
【００１４】
さらに、ノズルの洗浄時には、レバー部材のレバー支持体をカバー部材に対して回動させて、カバー部材の収容凹部の上部の開口を開放させることで、ノズル部材を収容凹部から取り出すことができ、レバー部材をカバー部材から取り外す必要がないため、レバー部材を紛失するおそれもない。
【００１５】
したがって、本発明によれば、ノズルの容易な洗浄を可能としつつ、部品点数及び組み付け工数を低減できる２連式エアゾール容器を提供することができる。
【図面の簡単な説明】
【００１６】
【図１】（ａ）は、本発明の一実施形態に係る２連式エアゾール容器を未使用時の状態で示す平面図であり、（ｂ）は（ａ）のレバー部材を省略して示す図であり、（ｃ）は更にノズル部材及びエアゾール缶を省略して示す図である。
【図２】図１のＡ−Ａ線に沿って示す一部断面正面図である。
【図３】図２のＢ−Ｂ線に沿って示す一部断面側面図である。
【図４】（ａ）は、図２の２連式エアゾール容器の側面図であり、（ｂ）は、図２の２連式エアゾール容器の背面図である。
【図５】図１の２連式エアゾール容器のノズル洗浄要領を示す側面図であり、レバー支持体を回動させてノズル部材を取り外した状態を示す。
【図６】図１の２連式エアゾール容器のノズル洗浄要領を示す側面図であり、ノズル部材のノズル基体を開いた状態を示す。
【図７】本発明の他の実施形態に係る２連式エアゾール容器を未使用時の状態で示す平面図である。
【図８】図７の２連式エアゾール容器を図３に準じて示す一部断面側面図であり、誤操作防止用邪魔板を取り除く要領を示す。
【図９】（ａ）は、図８の２連式エアゾール容器の側面図であり、（ｂ）は、図８の２連式エアゾール容器の背面図である。
【発明を実施するための形態】
【００１７】
以下、図１〜図６を参照して、本発明の一実施形態に係る２連式エアゾール容器について詳細に例示説明する。
なお、本明細書において前方とは、ノズルの吐出口側であり、後方とは、ノズルの軸線に沿って前方とは反対側である。また、側方とは、前方から後方に向って容器を見る際の左右方向である。
【００１８】
図１〜図４に示すように、２連式エアゾール容器１は、左右に並列配置された一対のエアゾール缶２０と、吐出具３０と、を備える。また、吐出具３０は、ノズル部材４０と、カバー部材５０と、レバー部材６０と、を備える。
【００１９】
なお、本実施形態において、２連式エアゾール容器１に文字、模様などを表示するためにシュリンク包装を施す場合には、左右に並列配置された一対のエアゾール缶２０にシュリンク包装を施し、シュリンク包装の上部に被せるように吐出具３０を装着させてもよいし、吐出具３０を装着させた後にエアゾール缶２０のみならず吐出具３０の下部にも被せるようにシュリンク包装を施してもよい。また、シュリンク包装に代えて、エアゾール缶２０に印刷を施すこともできる。
【００２０】
一対のエアゾール缶２０は、それぞれ、該エアゾール缶２０の胴部２１の上方に連なり該胴部２１より縮径された肩部２２と、該肩部２２の上方に連なるマウンティングカップ２３と、該マウンティングカップ２３から立ち上がるステム２４とを有している。一対のエアゾール缶２０はいずれも、例えば金属製の有底筒状の容器本体に、例えば金属製のマウンティングカップ２３の外縁を巻き締めして固着したものであり、双方の内側には互いに異なる種類の内容物が収容されている。
【００２１】
ノズル部材４０は、ノズル４１と、一対のエアゾール缶２０のステム２４にそれぞれ嵌合する一対の嵌合筒４２と、ノズル４１の後端及び一対の嵌合筒４２の上端に連結するノズル基体４３と、を有する。
【００２２】
ノズル基体４３には、一対の嵌合筒４２を通じてステムから流入する内容物を、ノズル４１の後端に導く流路Ｐが形成されている。また、ノズル４１の洗浄をより容易にするために、ノズル基体４３は、ヒンジ４４を挟む上側基体４３ａ及び下側基体４３ｂで構成されており、開閉レバー４５の操作にて、後掲図６に示すように流路Ｐを開放できるようになっている。
【００２３】
上側基体４３ａは、左右方向中央部に上方へ突出する段差部４３ａ１が形成されており、この段差部４３ａ１にノズル４１の後端が接続されている。上側基体４３ａの段差部４３ａ１の左右両側部には、段差部４３ａ１と同一の高さまで突出する突片４３ａ２が形成されている。
【００２４】
カバー部材５０は、上部、前部及び後部に開口を有すると共にノズル部材４０のノズル基体４３を上下動可能に収容する収容凹部Ｒの周面を形成する内周壁５１と、内周壁５１の下端縁に連なり収容凹部Ｒの底面を形成する底壁５２と、内周壁５１の上端縁に外向きフランジ状壁５３を介して連結し、一対のエアゾール缶２０の肩部２２に当接するように垂設された外周壁５４とを有する。収容凹部Ｒの前部の開口は、ノズル４１の前後方向中間部を上下動可能に収容し、収容凹部Ｒの後部の開口は、レバー部材６０の詳細は後述する操作レバー６１の後部６１ａを上下動可能に収容している。
【００２５】
レバー部材６０は、操作レバー６１と、操作レバー６１の前端にヒンジ６２を介して連結され、カバー部材５０に回動可能に取り付けられるレバー支持体６３と、を有する。また、レバー部材６０は、後掲図５に示すように、レバー支持体６３の回動に伴って収容凹部Ｒの上部の開口を開閉可能に構成されている。
【００２６】
より具体的には、レバー支持体６３は、平面視略Ｔ字状の操作レバー６１の左右両側方及び前方を取り囲む枠体状に形成されており、後部に設けられた一対の突起６３ａをカバー部材５０に設けられた嵌合孔５５に嵌め込むことによって、カバー部材５０に対して回動可能に取り付けられている。また、レバー支持体６３の前部には、カバー部材５０に設けられた一対の嵌合凹所５６内に前端上部がスナップ嵌合する一対のＵ字状の嵌合アーム６３ｂが形成されている。一対の嵌合アーム６３ｂの前端上部は操作片６３ｃによって互いに連結されている。
【００２７】
操作レバー６１の底面には、前述したノズル部材４０の上側基体４３ａに形成された段差部４３ａ１とその左右両側部に形成された２つの突片４３ａ２とに当接するように垂設された３つの突片６１ｂが形成されている。
【００２８】
また、本実施形態では、レバー部材６０には、操作レバー６１の後部６１ａとレバー支持体６３とを連結して操作レバー６１の誤操作を防止する誤操作防止用連結部６４が設けられている。誤操作防止用連結部６４は、操作レバー６１の後部６１ａを所定の力で押し下げ方向に押すことで破断し、該破断後は、操作レバー６１の押し下げ操作を可能にするように形成されている。
【００２９】
カバー部材５０の底壁５２には、一対のエアゾール缶２０のマウンティングカップ２３に上方から乗越え係止する一対の係止爪５２ａが垂設されている。より具体的には、一対の係止爪５２ａは、それぞれ、平面視円弧状をなし、左右方向からマウンティングカップ２３に係止するように形成されている。
【００３０】
カバー部材５０の外周壁５４には、一対のエアゾール缶２０のマウンティングカップ２３に上方から乗越え係止する一対の係止孔５４ａが形成されている。より具体的には、外周壁５４は、左右両側面において一対のエアゾール缶２０の肩部２２に当接するように形成されており、一対の係止孔５４ａは、これら外周壁５４の左右両側面に配置されている。
【００３１】
また、カバー部材５０は、底壁５２、内周壁５１、外向きフランジ状壁５３及び外周壁５４に連結すると共に一対のエアゾール缶２０の前側部分に当接する一対の前側位置決めリブ５７と、底壁５２、内周壁５１、外向きフランジ状壁５３及び外周壁５４に連結すると共に一対のエアゾール缶２０の後側部分に当接する一対の後側位置決めリブ５８と、を更に有する。
【００３２】
一対の前側位置決めリブ５７及び一対の後側位置決めリブ５８の各リブは、マウンティングカップ２３の上面に当接する第１当接縁部５７ａ，５８ａと、マウンティングカップ２３の外周面に当接する第２当接縁部５７ｂ，５８ｂとを有する。
【００３３】
かかる構成によれば、カバー部材５０の外周壁５４を一対のエアゾール缶２０の肩部２２に当接させると共に、カバー部材５０の底壁５２に設けた一対の係止爪５２ａと、カバー部材５０の外周壁５４に設けた一対の係止孔５４ａとを、一対のエアゾール缶２０のマウンティングカップ２３に係止させることで、カバー部材５０を直接、一対のエアゾール缶２０に装着させることができ、従来必要とされた固定盤を削減することができるため、部品点数を低減することができる。
【００３４】
また、カバー部材５０に一対の前側位置決めリブ５７及び一対の後側位置決めリブ５８を設け、各リブの第１当接縁部５７ａ，５８ａをマウンティングカップ２３の上面に当接させると共に、各リブの第２当接縁部５７ｂ，５８ｂをマウンティングカップ２３の外周面に当接させるようにしたので、カバー部材５０を一対のエアゾール缶２０により安定して保持させることができる。
【００３５】
また、組み付け時には、ノズル部材４０をカバー部材５０の収容凹部Ｒに配置し、レバー部材６０をノズル部材４０の上方からカバー部材５０に取り付け、カバー部材５０を並列配置された一対のエアゾール缶２０に取り付けるという３工程での組み付けが可能となり、従来必要とされた固定盤の取り付け工程を削減することができるため、組み付け工数を低減させることもできる。
【００３６】
また、未使用の状態では、レバー部材６０には、操作レバー６１の後部６１ａとレバー支持体６３とを連結する誤操作防止用連結部６４が設けられているので、操作レバー６１の誤操作を防止することができる。したがって、操作レバー６１の誤操作を防止するためのオーバーキャップを設ける必要がなくなり、この点からも部品点数の削減が可能となる。
【００３７】
そして、使用時には、操作レバー６１の後部６１ａを所定の力で押し下げ方向に押すことで誤操作防止用連結部６４を破断させ、その後は、操作レバー６１の押し下げ操作を可能にし、一対のエアゾール缶２０の内容物をノズル４１の前端の吐出口から吐出させることができる。
【００３８】
内容物を吐出させる際には、使用者は、指を図２中の仮想線で示したように配置し、操作レバー６１の押し下げ操作を行うことができるが、その際、外周壁５４の左右両側面に配置された一対の係止孔５４ａに指を掛けることで、一対の係止孔５４ａを滑り止めとして利用することができる。
【００３９】
内容物の吐出要領は、より具体的には以下のとおりである。操作レバー６１の後部６１ａの押し下げにて、操作レバー６１の突片６１ｂをノズル部材４０の段差部４３ａ１及び突片４３ａ２に当接させてノズル部材４０を押し下げることで、一対のエアゾール缶２０のステム２４が押し下げられる。ステム２４が押し下げられると、ステム２４から内容物が流出し、流出した内容物はノズル部材４０内の流路Ｐを通って、ノズル４１の前端から吐出される。
【００４０】
そして、ノズル４１の洗浄時には、図３中の右向き矢印で示したように、レバー部材６０の操作片６３ｃを後方に押すことで、嵌合アーム６３ｂをカバー部材５０の嵌合凹所５６内から脱出させて、図５に示すように、レバー部材６０全体を回動させて、収容凹部Ｒの上部の開口を開放させることができる。したがって、ノズル部材４０を収容凹部Ｒから取り出す際に、レバー部材６０をカバー部材５０から取り外す必要がないため、レバー部材６０を紛失するおそれがない。
【００４１】
また、ノズル部材４０を取り出した後は、図６に示すように、開閉レバー４５を操作してノズル基体４３を開き、流路Ｐを開放させることで、流路Ｐを容易に洗浄できることは勿論、ノズル４１内の流路も容易に洗浄することができる。
【００４２】
次に、図７〜図９を参照して、本発明の他の実施形態に係る２連式エアゾール容器について詳細に例示説明する。
本実施形態に係る２連式エアゾール容器１’は、図１〜図６を用いて説明した例の場合とは、誤操作防止用連結部６４に代えて誤操作防止用邪魔板７０を設けた点で異なるが、その他の構成は同一になっている。
【００４３】
誤操作防止用邪魔板７０は、図７〜図９に示すように、カバー部材５０の外周壁５４の後部に形成された段部７１に破断予定部７２を介して連結され、収容凹部Ｒの後部の開口を覆っている。破断予定部７２は、図８中の仮想線で示すように、該破断予定部７２を破断させて誤操作防止用邪魔板７０を取り除けるように形成されている。
【００４４】
かかる構成によれば、使用時には、破断予定部７２を破断させて誤操作防止用邪魔板７０を取り除くことで、操作レバー６１の押し下げ操作を可能にすることができる。また、操作レバー６１の誤操作防止以外の点については、図１〜図６を用いて説明した例の場合と同一の効果を得ることができる。
【００４５】
上述したところは、本発明の一実施形態を示したにすぎず、特許請求の範囲において、種々の変更を加えることができる。例えば、一対のエアゾール缶２０には互いに異なる種類の内容物が収容されるものとして説明したが、必ずしもそのような構成に限定する必要はなく、同種の内容物を収容することもできる。組み付けの順序としては、ノズル部材４０を配置し、レバー部材６０を取り付け、カバー部材５０を取り付けるものとして説明したが、必ずしもこのような順序に限定されず、例えば、一対のエアゾール缶２０にカバー部材５０を取り付け、ノズル部材４０を取り付け、レバー部材６０を取り付けることも可能である。
【符号の説明】
【００４６】
１，１’  ２連式エアゾール容器
２０  エアゾール缶
２１  胴部
２２  肩部
２３  マウンティングカップ
２４  ステム
３０  吐出具
４０  ノズル部材
４１  ノズル
４２  嵌合筒
４３  ノズル基体
４３ａ  上側基体
４３ａ１  段差部
４３ａ２  突片
４３ｂ  下側基体
４４  ヒンジ
４５  開閉レバー
５０  カバー部材
５１  内周壁
５２  底壁
５２ａ  係止爪
５３  外向きフランジ状壁
５４  外周壁
５４ａ  係止孔
５５  嵌合孔
５６  嵌合凹所
５７  前側位置決めリブ
５７ａ  前側位置決めリブの第１当接縁部
５７ｂ  前側位置決めリブの第２当接縁部
５８  後側位置決めリブ
５８ａ  後側位置決めリブの第１当接縁部
５８ｂ  後側位置決めリブの第２当接縁部
６０  レバー部材
６１  操作レバー
６１ａ  操作レバーの後部
６１ｂ  突片
６２  ヒンジ
６３  レバー支持体
６３ａ  突起
６３ｂ  嵌合アーム
６３ｃ  操作片
６４  誤操作防止用連結部
７０  誤操作防止用邪魔板
７１  段部
７２  破断予定部
Ｐ  流路
Ｒ  収容凹部
【図１】
2015145259.tif 000003
【図２】
2015145259.tif 000004
【図３】
2015145259.tif 000005
【図４】
2015145259.tif 000006
【図５】
2015145259.tif 000007
【図６】
2015145259.tif 000008
【図７】
2015145259.tif 000009
【図８】
2015145259.tif 000010
【図９】
2015145259.tif 000011